(57)【特許請求の範囲】
【請求項１】
平板状を成す芯材（２）の表面（３）と裏面（４）の少なくとも一方の外周部に、芯材端（2a）に向けて薄肉となる傾斜面を設け、該芯材表面（３）と裏面（４）に、芯材（２）より一回り大きい板体（５，６）を夫々着接し、芯材傾斜面と板体の間に緩衝空間（ａ）を形成すると共に、芯材（２）より外周に突出して相対する表板体（５）と裏板体（６）の間に、構造材（Ｐ）を嵌挿する嵌挿口（７）を形成し、嵌挿口（７）が構造材（Ｐ）の幅より大きい場合は、嵌挿口（７）を形成する板体先部を緩衝空間（ａ）の範囲で内向きに変形して構造材に釘付けし、一方、嵌挿口（７）が構造材（Ｐ）の幅より小さい場合は、板体先部を緩衝空間（ａ）の範囲で押し広げて構造材に釘付けすることを特徴とする建築用パネル。
【発明の詳細な説明】
【０００１】
【産業上の利用分野】
この発明は、パネル住宅工法に用いる建築用パネルに関するものである。
【０００２】
【従来の技術】
木造建築の工法として、壁体をパネルユニット化し、図１の如くパネル１０の一側を柱Ｐ１  に嵌挿固定し、パネル１０の下部を土台Ｐ２  に取付け、パネル１０の他側に柱Ｐ１  を順次嵌挿固定し、パネル１０の上部に桁材Ｐ３  、又は梁材を嵌挿固定するパネル住宅工法が知られている。（例えば実開平３−８２１１号公報）
このパネル住宅工法に用いるパネルは、図１３と図１４（Ａ）の如く平板状芯材１２の表面と裏面に、芯材１２より一回り大きい板体１５，１６を夫々着接し、芯材１２より外周に突出して相対向する板体先端部５ｂ，６ｂの間に、嵌挿口１７を形成するものである。
【０００３】
【発明が解決しようとする課題】
パネル住宅工法に用いる柱や土台、或いは桁材等の構造材は、木材より製材するものであるから、製材によって数ｍｍの誤差を生じるし、パネルにも製造上の誤差を生じるため、構造材とパネルの取付けに多くの問題点があった。
即ち、図１４（Ｂ）の如くパネル１０の嵌挿口１７に、嵌挿口１７より小さい柱幅Ｓの構造材Ｐを嵌挿した場合、嵌挿口１７と構造材Ｐの間に空間を生じるし、嵌挿口１７を形成している板体先端部５ｂ，６ｂの一方を構造材Ｐに圧接するまで釘付けすると、釘付けにより板体先端部が折れる問題点があると共に、構造材Ｐに板体先端部５ｂ，６ｂが密着しないため、釘の剪断力（釘付け効果）が著しく低下する問題点もあった。
【０００４】
反対にパネルの嵌挿口より構造材の柱幅が大きいと、図１４（Ｃ）の如く嵌挿口１７を形成している板体１５，１６の先端部５ｂ，６ｂを押し広げて構造材Ｐに嵌挿しなければならないので、芯材１２に着接していた板体１５，１６が押し広げにより剥がれたり、時間の経過に伴い徐々に剥がれる問題点もあった。
そこでこの発明は、従来技術の有するこのような問題点に鑑みてなされたものであり、その目的とするところは、構造材に多少の寸法誤差があっても、無理なく確実に取付け得る建築用パネルを提供することにある。
【０００５】
【課題を解決するための手段】
上記目的を達成するために、本発明の建築用パネルは、平板状を成す芯材の表面と裏面の少なくとも一方の外周部に、芯材端に向けて薄肉となる傾斜面を設け、該芯材表面と裏面に、芯材より一回り大きい板体を夫々着接し、芯材傾斜面と板体の間に緩衝空間を形成すると共に、芯材より外周に突出して相対する表板体と裏板体の間に、構造材を嵌挿する嵌挿口を形成し、嵌挿口が構造材の幅より大きい場合は、嵌挿口を形成する板体先部を緩衝空間の範囲で内向きに変形して構造材に釘付けし、一方、嵌挿口が構造材の幅より小さい場合は、板体先部を緩衝空間の範囲で押し広げて構造材に釘付けするものである。
【０００６】
【作用】
平板状を成す芯材の少なくとも表面の外周部に、芯材端に向けて薄肉となる傾斜面を形成し、その傾斜面と、芯材の表裏面に着接する板体との間に緩衝空間を形成すると共に、芯材より外周に突出して相対する板体先部間に嵌挿口を形成するものであるから、嵌挿口を形成する板体先部を緩衝空間の範囲で内向変形し得るし、板体先部を外側に押し広げても、芯材から剥がれることもない。
【０００７】
【実施例】
次に本発明による建築用パネルの構造を図１乃至図３に基づき説明すれば、建築用パネル１は平板状を成す芯材２の少なくとも表面３の外周部に、芯材端２ａに向けて薄肉となる傾斜面３ａを設け、該芯材２の表面３と裏面４に、芯材２より一回り大きい板体５，６を夫々着接し、芯材傾斜面３ａと表板体５の間に緩衝空間ａを形成すると共に、芯材２より外周に突出して相対する板体５，６の間に嵌挿口７を形成するもので、パネル厚さｔを例えば９０ｍｍ、１０５ｍｍ  、１２０ｍｍ  に形成し、パネル高さＨを３０００ｍｍ以内に、パネル幅Ｌを１５００ｍｍ以内に形成するものである。
【０００８】
芯材２は図３と図４（Ａ）の如く、芯材表面３の左右外周部と上下外周部に、芯材端２ａに向けて薄肉となる傾斜面３ａを夫々形成するもので、該傾斜面３ａの傾斜角度θは５度以内に形成し、気泡を有する例えば発泡ウレタン等の断熱合成樹脂より形成するものである。
芯材２に着接する板体５，６には、芯材２より一回り大きい、例えばベニヤ板から成る厚さ９ｍｍ程度の構造合板を用いる。
【０００９】
芯材表面３に着接する表板体５と、裏面４に着接する裏板体６は、主に接着剤を用いて着接するもので、表面３の外周部に設けた傾斜面３ａと、表面３に着接する表板体５の間に、内部に向けて先細となる楔状の緩衝空間ａを形成し、且つ芯材端２ａより外周に突出して相対する表板体先部５ａと裏板体先部６ａの間に、嵌挿口７を深さ５０ｍｍｍ  程度に形成するものである。
【００１０】
図５と図６の建築用パネル１は、芯材表面３の外周部に、芯材端２ａに向けて薄肉となる傾斜面３ａを形成すると共に、芯材裏面４の外周部にも、芯材端２ａに向けて薄肉となる傾斜面４ａを形成し、その表面３と裏面４に、芯材２より一回り大きい板体５，６を着接するものである。
芯材表面３の傾斜面３ａと表板体５の間、及び裏面４の傾斜面４ａと裏板体６の間に、内部に向けて先細となる楔状の緩衝空間ａを夫々形成し、芯材２より外周に突出して相対する表板体先部５ａと裏板体先部６ａの間に、嵌挿口７を形成する。
【００１２】
図１０の芯材２は、芯材２の表面３側に、芯材２の長手方向に平行する凹溝８を適宜間隔で形成するもので、該芯材２にあっては、図９の如く傾斜面３ａと凹溝８を除く表面３に表板体５を、傾斜面４ａを除く裏面４に裏板体６を着接する。
凹溝８には図１１と図１２の如く、電気配線Ｌを挿入したり、電気配線Ｌに接続するコンセントＣを嵌込むことも可能で、コンセントＣを嵌込む場合、表板体５に切欠口を設け、切欠口にコンセントＣが露出するようにしておく。
【００１３】
本発明による建築用パネルは上記構造であるから、予め芯材表面３の外周部に傾斜面３ａを形成しておき、該芯材２の表面３と裏面４に、芯材２より一回り大きい板体５，６を着接するか、芯材表面３と裏面４の外周部に傾斜面３ａ，４ａを形成しておき、該芯材２の表面３と裏面４に、芯材２より一回り大きい板体５，６を着接し、本発明の建築用パネル１を製造するものである。
【００１４】
本発明による建築用パネル１の嵌挿口７が図８の如く柱幅Ｓより大きい場合、パネル１の嵌挿口７を構造材Ｐに嵌挿した後、先ず裏板体先部６ａを構造材Ｐに釘付けし、次に表板体先部５ａを構造材Ｐに釘付けすれば、芯材表面３の外周部に傾斜面３ａが形成されているため、表板体５の先部５ａは芯材２の傾斜面３ａに沿って湾曲しながら釘付けされる。
芯材裏面４の外周部にも傾斜面４ａを形成した建築用パネル１にあっては、板体先部５ａ，６ａの何ずれからでも構造材Ｐに釘付けし得る。
【００１５】
反対に、建築用パネル１の嵌挿口７が図９の如く柱幅Ｓより小さい場合、嵌挿口７を形成している板体先部５ａ，６ａを押し広げ、嵌挿口７に構造材Ｐを嵌挿した後、板体先部５ａ，６ａを構造材Ｐに釘付けする。
嵌挿口７を形成している板体先部５ａ，６ａを押し広げても、芯材表面３の外周部に傾斜面３ａが形成されるか、更に芯材裏面４の外周部にも傾斜面４ａが形成されているため、板体５，６は芯材２より剥がれることはない。
【００１６】
尚、本発明による建築用パネルは上記実施例に限定されるものではなく、例えばパネル幅Ｌの大きい建築用パネル１にあっては、図３（Ｂ）の如く芯材２の内部に補強材９を埋設しておくことが望ましい。また芯材２の材質として、気泡コンクリートを用いることも可能であるし、板体５，６の材質として、ベニヤ板と合成樹脂板から成る合板を用いることも可能出ある。
更に芯材２と板体５，６の着接手段、及びパネル１の大きさやパネル厚さｔは、前記実施例に限定されるものではない。
【００１７】
【発明の効果】
本発明による建築用パネルは上記構造のとおりであるから、次に記載する効果を奏する。
平板状を成す芯材の少なくとも表面の外周部に、芯材端に向けて薄肉となる傾斜面を形成し、その傾斜面と、芯材の表裏面に着接する板体との間に緩衝空間を形成すると共に、芯材より外周に突出して相対する板体先部間に嵌挿口を形成するものであるから、嵌挿口を形成する板体先部を緩衝空間の範囲で内向変形し得るし、板体先部を外側に押し広げても、芯材から剥がれることもない。
【００１８】
例え構造材や本発明の建築用パネルに寸法誤差があっても、その寸法誤差を柔軟に吸収し得る構造であるため、パネル嵌挿口に対する構造材の挿入能率が飛躍的に向上するし、パネル嵌挿口に挿入した構造材に、板体の先端部を密着するため、板体先端部より構造材に打込む釘の剪断力が著しく向上する。
本発明のパネルは、外壁材は勿論、内壁材としても用いることができる。
【図面の簡単な説明】
【図１】（Ａ）（Ｂ）本発明による建築用パネルの使用例を示す要部横断面図と縦断面図である。
【図２】（Ａ）（Ｂ）（Ｃ）本発明パネルの構造例を示す平面図と側面図、及び一部切欠正面図である。
【図３】パネルの構造例を示す分解側面図である。
【図４】（Ａ）（Ｂ）パネルの構造例を示す分解平面図と、芯材の構造例を示す断面図である。
【図５】（Ａ）（Ｂ）パネルの構造例を示す平面図と、その分解平面図である。
【図６】（Ａ）（Ｂ）パネルの構造例を示す側面図と、その分解側面図である。
【図７】（Ａ）（Ｂ）細幅構造材に対するパネルの取付例を示す平面図である。
【図８】（Ａ）（Ｂ）太幅構造材に対するパネルの取付例を示す平面図である。
【図９】（Ａ）（Ｂ）凹溝を有する本発明パネルの平面図である。
【図１０】（Ａ）（Ｂ）凹溝の形成例を示す芯材の平面図である。
【図１１】本発明パネルの平面図である。
【図１２】その一部切欠正面図である。
【図１３】従来パネルの平面図である。
【図１４】（Ａ）（Ｂ）（Ｃ）従来パネルの側面図と、その取付例を示す側面図である。
【符号の説明】
１，１０  建築用パネル
２，１２  芯材、２ａ  芯材端
３  芯材表面、傾斜面３ａ
４  芯材裏面、傾斜面４ａ
５，６  板体、５ａ，６ａ  板体先部
７，１７  嵌挿口
８  凹溝
１５，１６  板体
ａ  芯材傾斜面と板体の間に生じる緩衝空間
Ｃ  コンセント、Ｌ  電気配線
Ｌ  パネル幅、Ｈ  パネル高さ、ｔ  パネル厚さ
Ｐ  構造材、Ｓ  柱幅
【図１】
0003607745.tif 000002
【図２】
0003607745.tif 000003
【図３】
0003607745.tif 000004
【図４】
0003607745.tif 000005
【図５】
0003607745.tif 000006
【図６】
0003607745.tif 000007
【図７】
0003607745.tif 000008
【図８】
0003607745.tif 000009
【図９】
0003607745.tif 000010
【図１０】
0003607745.tif 000011
【図１１】
0003607745.tif 000012
【図１２】
0003607745.tif 000013
【図１３】
0003607745.tif 000014
【図１４】
0003607745.tif 000015